(57)【特許請求の範囲】
【請求項１】
ネットワークに接続するための認証に用いられる認証機器が第１の距離以内に存在する場合に、当該認証機器と第１の通信方式により無線接続する第１の接続手段と、
前記認証機器との前記無線接続中において、前記ネットワークに接続する第２の接続手段と、
前記認証機器と過去に接続した実績がある通信機器を特定する特定部と、
前記無線接続中において、特定された前記通信機器が第２の距離以内に存在するときは、当該通信機器と第２の通信方式により無線接続する第３の接続手段と
を備え、
前記特定部は、
前記認証機器と直近に接続した一の通信機器、前記認証機器と過去に接続した全ての通信機器、又は予め決められた通信機器を特定する
通信端末装置。
【請求項２】
ネットワークに接続するための認証に用いられる認証機器が第１の距離以内に存在する場合に、当該認証機器と第１の通信方式により無線接続する第１の接続手段と、
前記認証機器との前記無線接続中において、前記ネットワークに接続する第２の接続手段と、
前記認証機器と過去に接続した実績がある通信機器を特定する特定部と、
前記無線接続中において、特定された前記通信機器が第２の距離以内に存在するときは、当該通信機器と第２の通信方式により無線接続する第３の接続手段と
を備え、
前記第３の接続手段は、
前記認証機器の接続先が自通信端末装置に変更されたことを契機として、前記特定された前記通信機器と無線接続する
通信端末装置。
【請求項３】
前記第２の通信方式により無線接続するための認証に用いられる認証情報を、前記第１の通信方式により、前記特定された前記通信機器へ送信する送信部
を備え、
前記第３の接続手段は、
前記特定された前記通信機器が、前記認証情報を用いて認証された場合に、当該通信機器と前記第２の通信方式により無線接続する
ことを特徴とする請求項１又は請求項２に記載の通信端末装置。
【請求項４】
前記特定部は、
時刻又は位置に応じて、前記一の通信機器、前記全ての通信機器、又は前記予め決められた通信機器を特定する
ことを特徴とする請求項１に記載の通信端末装置。
【請求項５】
前記特定部は、
前記認証機器と接続した回数に応じて、前記一の通信機器、前記全ての通信機器、又は前記予め決められた通信機器を特定する
ことを特徴とする請求項１又は４に記載の通信端末装置。
【請求項６】
ネットワークに接続するための認証に用いられる認証機器が所定の距離以内に存在する場合に、当該認証機器と無線接続する第１の接続手段と、
前記認証機器との前記無線接続中において、前記ネットワークに接続する第２の接続手段と
前記認証機器と過去に接続した実績がある通信機器を特定する特定部と
を備え、
前記第１の接続手段は、
前記無線接続中において、前記認証機器に加えて、特定された前記通信機器と無線接続し、
前記特定部は、
前記認証機器と直近に接続した一の通信機器、前記認証機器と過去に接続した全ての通信機器、又は予め決められた通信機器を特定する
通信端末装置。
【請求項７】
ネットワークに接続するための認証に用いられる認証機器が所定の距離以内に存在する場合に、当該認証機器と無線接続する第１の接続手段と、
前記認証機器との前記無線接続中において、前記ネットワークに接続する第２の接続手段と、
前記認証機器と過去に接続した実績がある通信機器を特定する特定部と、
前記無線接続中において、特定された前記通信機器が第２の距離以内に存在するときは、当該通信機器と第２の通信方式により無線接続する第３の接続手段と
を備え、
前記第１の接続手段は、
前記無線接続中において、前記認証機器に加えて、特定された前記通信機器と無線接続し、
前記第３の接続手段は、
前記認証機器の接続先が自通信端末装置に変更されたことを契機として、前記特定された前記通信機器と無線接続する
通信端末装置。
【請求項８】
コンピュータに、
ネットワークに接続するための認証に用いられる認証機器が第１の距離以内に存在する場合に、当該認証機器と第１の通信方式により無線接続するステップと、
前記認証機器との前記無線接続中において、前記ネットワークに接続するステップと、
前記認証機器と過去に接続した実績がある通信機器を特定するステップと、
前記無線接続中において、特定した前記通信機器が第２の距離以内に存在するときは、当該通信機器と第２の通信方式により無線接続するステップとを実行させるためのプログラムであって、
前記特定するステップは、
前記認証機器と直近に接続した一の通信機器、前記認証機器と過去に接続した全ての通信機器、又は予め決められた通信機器を特定する
プログラム。
【請求項９】
コンピュータに、
ネットワークに接続するための認証に用いられる認証機器が第１の距離以内に存在する場合に、当該認証機器と第１の通信方式により無線接続するステップと、
前記認証機器との前記無線接続中において、前記ネットワークに接続するステップと、
前記認証機器と過去に接続した実績がある通信機器を特定するステップと、
前記無線接続中において、特定した前記通信機器が第２の距離以内に存在するときは、当該通信機器と第２の通信方式により無線接続するステップとを実行させるためのプログラムであって、
前記第２の通信方式により無線接続するステップは、
前記認証機器の接続先が自通信端末装置に変更されたことを契機として、前記特定された前記通信機器と無線接続する
プログラム。
【請求項１０】
コンピュータに、
ネットワークに接続するための認証に用いられる認証機器が所定の距離以内に存在する場合に、当該認証機器と無線接続するステップと、
前記認証機器との前記無線接続中において、前記ネットワークに接続するステップと、
前記認証機器と過去に接続した実績がある通信機器を特定するステップと、
前記無線接続中において、前記認証機器に加えて、特定された前記通信機器と無線接続するステップとを実行させるためのプログラムであって、
前記特定するステップは、
前記認証機器と直近に接続した一の通信機器、前記認証機器と過去に接続した全ての通信機器、又は予め決められた通信機器を特定する
プログラム。
【請求項１１】
コンピュータに、
ネットワークに接続するための認証に用いられる認証機器が所定の距離以内に存在する場合に、当該認証機器と無線接続するステップと、
前記認証機器との前記無線接続中において、前記ネットワークに接続するステップと、
前記認証機器と過去に接続した実績がある通信機器を特定するステップと、
前記無線接続中において、前記認証機器に加えて、特定された前記通信機器と無線接続するステップとを実行させるためのプログラムであって、
前記特定された前記通信機器と無線接続するステップは、
前記認証機器の接続先が自通信端末装置に変更されたことを契機として、前記特定された前記通信機器と無線接続する
プログラム。
【発明の詳細な説明】
【技術分野】
【０００１】
本発明は、外部の通信機器がネットワークを介して行う通信を制御する技術に関する。
【背景技術】
【０００２】
特許文献１には、ネットワークに接続するための１つの加入者識別番号を、複数の携帯端末で使用する場合に、加入者識別モジュールの不正使用を防止するための技術が記載されている。特許文献１に記載の技術では、携帯端末にＳＩＭ（Subscriber Identity Module）カードが装着されると、ＰＩＮ（Personal Identification Number）コードによってユーザの認証を行う。ユーザの認証に成功した場合、ＳＩＭカードは、携帯端末の端末識別子（例えば、ＩＭＥＩ：International Mobile Equipment Identity）を、メモリに登録する。そして、ＳＩＭカードは、端末識別子が登録された携帯端末によるアクセスを可能にし、端末識別子が登録されていない携帯端末によるアクセスを不可能にする。
【先行技術文献】
【特許文献】
【０００３】
【特許文献１】特開２０１２−７４９７５号公報
【発明の概要】
【発明が解決しようとする課題】
【０００４】
特許文献１に記載の技術では、ＳＩＭカードが装着された携帯端末だけが、このＳＩＭカードを使用して、通信事業者によって管理、運用されるネットワークに接続して通信することができる。このため、ＳＩＭカードが取り外された携帯端末は、以降、ネットワークに接続することができない。
これに対し、本発明の目的は、ネットワークに接続するための認証に用いられる認証機器の接続先が変更された場合でも、この変更前の接続先の通信機器に、ネットワークを介した通信を行わせることである。
【課題を解決するための手段】
【０００５】
上述した課題を解決するため、本発明の通信端末装置は、ネットワークに接続するための認証に用いられる認証機器が第１の距離以内に存在する場合に、当該認証機器と第１の通信方式により無線接続する第１の接続手段と、前記認証機器と過去に接続した実績がある通信機器を特定する特定部と、前記認証機器との前記無線接続中において、前記ネットワークに接続する第２の接続手段と、前記無線接続中において、特定された前記通信機器が第２の距離以内に存在するときは、当該通信機器と第２の通信方式により無線接続する第３の接続手段とを備える。
【０００６】
本発明の通信端末装置において、前記第２の通信方式により無線接続するための認証に用いられる認証情報を、前記第１の通信方式により、前記特定された前記通信機器へ送信する送信部を備え、前記第３の接続手段は、前記特定された前記通信機器が、前記認証情報を用いて認証された場合に、当該通信機器と前記第２の通信方式により無線接続してもよい。
【０００７】
本発明の通信端末装置において、前記特定部は、前記認証機器と直近に接続した一の通信機器、前記認証機器と過去に接続した全ての通信機器、又は予め決められた通信機器を特定してもよい。
この通信端末装置において、前記特定部は、時刻又は位置に応じて、前記一の通信機器、前記全ての通信機器、又は前記予め決められた通信機器を特定してもよい。
更に、前記特定部は、前記認証機器と接続した回数に応じて、前記一の通信機器、前記全ての通信機器、又は前記予め決められた通信機器を特定してもよい。
【０００８】
本発明の通信端末装置において、前記認証機器の接続先が自通信端末装置に変更されたことを契機として、前記特定された前記通信機器と無線接続してもよい。
【０００９】
本発明の別の態様の通信端末装置は、ネットワークに接続するための認証に用いられる認証機器が所定の距離以内に存在する場合に、当該認証機器と無線接続する第１の接続手段と、前記認証機器との前記無線接続中において、前記ネットワークに接続する第２の接続手段と前記認証機器と過去に接続した実績がある通信機器を特定する特定部とを備え、前記第１の接続手段は、前記無線接続中において、前記認証機器に加えて、特定された前記通信機器と無線接続する。
【００１０】
本発明のプログラムは、コンピュータに、ネットワークに接続するための認証に用いられる認証機器が第１の距離以内に存在する場合に、当該認証機器と第１の通信方式により無線接続するステップと、前記認証機器と過去に接続した実績がある通信機器を特定するステップと、前記認証機器との前記無線接続中において、前記ネットワークに接続するステップと、前記無線接続中において、特定した前記通信機器が第２の距離以内に存在するときは、当該通信機器と第２の通信方式により無線接続するステップとを実行させるためのプログラムである。
【００１１】
本発明の別の態様のプログラムは、コンピュータに、ネットワークに接続するための認証に用いられる認証機器が所定の距離以内に存在する場合に、当該認証機器と無線接続するステップと、前記認証機器との前記無線接続中において、前記ネットワークに接続するステップと、前記認証機器と過去に接続した実績がある通信機器を特定するステップと、前記無線接続中において、前記認証機器に加えて、特定された前記通信機器と無線接続するステップとを実行させるためのプログラムである。
【発明の効果】
【００１２】
本発明によれば、ネットワークに接続するための認証に用いられる認証機器の接続先が変更された場合でも、この変更前の接続先の通信機器に、ネットワークを介した通信を行わせることができる。
【図面の簡単な説明】
【００１３】
【図１】本発明の第１実施形態に係る通信システムの全体構成を示す図。
【図２】同実施形態に係る車載端末のハードウェア構成を示すブロック図。
【図３】同実施形態に係る認証機器のハードウェア構成を示すブロック図。
【図４】同実施形態に係る無線通信端末のハードウェア構成を示すブロック図。
【図５】同実施形態に係る接続実績ＤＢに登録されるデータの構成を示す図。
【図６】同実施形態に係る車載端末の機能構成を示すブロック図。
【図７】同実施形態に係る通信機器がネットワークに接続する場合に、通信システムで実行される処理を示すシーケンス図。
【図８】同実施形態に係る接続実績ＤＢの構成の説明図。
【図９】同実施形態に係る通信システムの各装置の状態の説明図。
【図１０】同実施形態に係る車載端末がネットワークに接続する場合に、通信システムで実行される処理を示すシーケンス図。
【図１１】同実施形態に係る接続実績ＤＢの構成の説明図。
【図１２】同実施形態に係る通信システムの各装置の状態の説明図。
【図１３】同実施形態における図１２に続く各装置の状態の説明図。
【図１４】本発明の第２実施形態に係る条件管理テーブルの構成例を示す図。
【図１５】同実施形態に係る通信システムで実行される処理を示すシーケンス図。
【発明を実施するための形態】
【００１４】
以下、図面を参照して本発明の実施形態を説明する。
［第１実施形態］
図１は、本発明の第１実施形態に係る通信システム１の全体構成を示す図である。
図１に示すように、通信システム１は、車載端末１０と、認証機器２０と、複数の通信機器３０（３０Ａ，３０Ｂ）と、接続実績ＤＢ（Data Base）４０とを含む。車載端末１０、及び複数の通信機器３０の各々は、ネットワークＮＷに接続する機能を有する。ネットワークＮＷは、所定の通信事業者によって管理、運用される公衆通信回線である。ネットワークＮＷは、移動通信網や交換機、基地局等を含む通信回線である。
【００１５】
認証機器２０、及び通信機器３０Ａ，３０Ｂは、ネットワークＮＷを利用するための契約を通信事業者と締結した、同一の加入者（契約者）によって所有される。ただし、これらの各装置を使用するユーザは、加入者自身である必要はなく、加入者の関係者（例えば、加入者の家族、加入者が法人であればそこに所属する者）等であってもよい。これに対し、車載端末１０は、典型的には、自動車Ｃの所有者によって所有される。自動車Ｃの所有者は、加入者と同一の場合もあれば、異なる場合もある。後者の場合の一例として、自動車Ｃが、配車サービス（例えばカーシェアリング）で利用される自動車の場合がある。
なお、図１には、通信機器３０として、通信機器３０Ａ，３０Ｂの２台が示されているが、３台以上の通信機器３０が存在してもよい。また、通信システム１には、他の加入者によって所有される、車載端末１０、認証機器２０、通信機器３０も含まれるが、本実施形態では説明を省略する。
【００１６】
認証機器２０は、ネットワークＮＷに接続するための認証に用いられる、携帯型の認証機器である。即ち、認証機器２０は、一般的なＳＩＭカードやＵＩＭ（User Identity Module）カード等と同じ用途で使用される。認証機器２０は、通信事業者によって発行される。認証機器２０は、各認証機器２０を識別するための識別子を記憶する。この識別子のことを、以下では「認証識別子」という。認証機器２０が、ＳＩＭカードやＵＩＭカードと異なる点は、外部機器に装着されるのではなく、外部機器と無線接続される点にある。
【００１７】
車載端末１０は、認証機器２０との無線接続中において、ネットワークＮＷに接続する通信端末装置である。車載端末１０は、ネットワークＮＷを介して、各種の通信サービスの提供を受ける。通信サービスの内容は、特に問わない。通信サービスは、カーナビゲーション等の、自動車Ｃの利用に関するサービスが含まれてもよいし、インターネット接続サービス等の、自動車Ｃの利用とは直接的には関係のないサービスが含まれてもよい。
【００１８】
通信機器３０は、車載端末１０と同様、認証機器２０との無線接続中において、ネットワークＮＷに接続する通信機器である。通信機器３０は、ここではスマートフォンであるが、タブレット型コンピュータや、フィーチャーフォン、ノート型パソコン等の他の携帯型の通信機器であってもよい。また、通信機器３０は、携帯型ではなく、据置型の通信機器であってもよい。
【００１９】
接続実績ＤＢ４０は、認証機器２０と過去に接続した実績がある通信機器３０を特定するためのデータベースである。即ち、接続実績ＤＢ４０には、認証機器２０を使用してネットワークＮＷに接続した通信機器３０を特定する情報が登録されている。
【００２０】
図２は、車載端末１０のハードウェア構成を示すブロック図である。図２に示すように、車載端末１０は、制御部１１と、ＵＩ（User Interface）１２と、近距離無線通信部１３と、ネットワーク通信部１４と、無線ＬＡＮ（Local Area Network）通信部１５と、記憶部１６と、測位部１７とを備える。
なお、「条件管理テーブル１６１」は、後述する第２実施形態で用いられるデータであり、本実施形態には関係ないものとする。
【００２１】
制御部１１は、演算処理装置としてのＣＰＵ（Central Processing Unit）、ＲＯＭ（Read Only Memory）、及びワークエリアとしてのＲＡＭ（Random Access Memory）を含むプロセッサを備える。ＣＰＵは、ＲＯＭ又は記憶部１６に記憶されたプログラムをＲＡＭに読み出して実行することにより、車載端末１０の各部を制御する。ＵＩ部１２は、例えばタッチスクリーンを採用した表示装置であり、ユーザインタフェースを提供する。
【００２２】
近距離無線通信部１３は、例えば無線通信回路及びアンテナを有し、所定の距離（第１の距離）以内に存在する通信機器と第１の通信方式により無線接続する。ネットワーク通信部１４は、本発明の第１の接続手段の一例である。第１の通信方式は、ここでは、Ｂｌｕｅｔｏｏｔｈ（登録商標）の規格に準拠した近距離無線通信に対応している。このため、近距離無線通信部１３は、おおよそ数メートルから数十メートル程度の距離以内に存在する外部機器と無線接続することができる。
なお、近距離無線通信部１３は、ＮＦＣ（Near Field Communication）等の、更に別の規格に準拠した近距離無線通信を行ってもよい。
【００２３】
ネットワーク通信部１４は、例えば無線通信回路及びアンテナを有し、ネットワークＮＷに接続する。ネットワーク通信部１４は、本発明の第２の接続手段の一例である。ネットワーク通信部１４は、認証機器２０と近距離無線通信部１３との無線接続中において、ネットワークＮＷに接続する。
【００２４】
無線ＬＡＮ通信部１５は、例えば無線通信回路及びアンテナを有し、所定の距離以内に存在する外部機器と第２の通信方式により無線接続する。無線ＬＡＮ通信部１５は、認証情報（以下「ＬＡＮ認証情報」という。）によって認証された外部機器と無線接続する。無線ＬＡＮ通信部１５は、本発明の第３の接続手段の一例である。第２の通信方式は、例えば、ＩＥＥＥ８０２．１１（Ｗｉ−Ｆｉ：登録商標）の規格に準拠した無線通信に対応している。この場合、ＬＡＮ認証情報は、例えば、ＳＳＩＤ（Service Set Identifier）、及びＷＥＰ（Wired Equivalent Privacy）に従う暗号化キーを含む。典型的には、第２の通信方式により無線接続が可能な距離は、第１の通信方式のそれよりも長い。
【００２５】
記憶部１６は、例えば不揮発性の半導体メモリで、制御部１１により実行される各種のプログラムを記憶する。このプログラムには、例えば、ネットワークＮＷに接続して行う通信を管理するためのプログラムや、テザリング機能を実現するためのプログラムが含まれる。
測位部１７は、例えばＧＰＳ（Global Positioning System）測位方式に従って車載端末１０の位置を測定する。測定された位置は、例えば、緯度及び経度を用いて表される。
【００２６】
図３は、認証機器２０のハードウェア構成を示すブロック図である。図３に示すように、認証機器２０は、制御部２１と、近距離無線通信部２２と、記憶部２３とを備える。認証機器２０の各ハードウェア回路は、例えば、車載端末１０の同名のハードウェア回路と同一である。
制御部２１は、認証機器２０の各部を制御する。近距離無線通信部２２は、外部機器と無線接続して、Ｂｌｕｅｔｏｏｔｈの規格に準拠した近距離無線通信を行う。記憶部２３は、認証識別子を記憶する。認証識別子は、加入者を特定するための情報で、例えばＩＣＣＩＤ（Integrated Circuit Card ID）である。認証機器２０の認証識別子は、ここでは「Ｍ−２０」であるものとする。
【００２７】
図４は、通信機器３０のハードウェア構成を示すブロック図である。図４に示すように、通信機器３０は、制御部３１と、ＵＩ部３２と、近距離無線通信部３３と、ネットワーク通信部３４と、無線ＬＡＮ通信部３５と、記憶部３６とを備える。通信機器３０の各ハードウェア回路は、例えば、車載端末１０の同名のハードウェア回路と同一である。
制御部３１は、通信機器３０の各部を制御する。ＵＩ部３２は、ユーザインタフェースを提供する。近距離無線通信部３３は、外部機器と第１の通信方式により無線接続して、近距離無線通信を行う。ネットワーク通信部３４は、認証機器２０と、近距離無線通信部３３との無線接続中において、ネットワークＮＷに接続する。
【００２８】
無線ＬＡＮ通信部３５は、外部機器と第２の通信方式により無線接続する。記憶部３６は、制御部３１により実行される各種のプログラムや、各通信機器３０を一意に識別する機器識別子を記憶する。機器識別子は、例えばＩＭＥＩである。通信機器３０Ａの機器識別子は「ＮＵＭ−３０Ａ」で、通信機器３０Ｂの機器識別子は「ＮＵＭ−３０Ｂ」であるものとする。
【００２９】
図５は、接続実績ＤＢ４０に登録されるデータの構成を示す図である。
図５に示すように、接続実績ＤＢ４０では、認証機器２０毎に、認証識別子に対応付けて、機器識別子と、接続日時情報とが登録されている。機器識別子は、認証機器２０と過去に接続した実績がある通信機器３０の機器識別子である。接続日時情報は、認証機器２０を用いて通信機器３０がネットワークＮＷと接続した日時を示す情報である。
【００３０】
図６は、車載端末１０の制御部１１の機能構成を示すブロック図である。制御部１１は、プログラムを実行することにより、特定部１１１と、通信制御部１１２と、送信部１１３とに相当する機能を実現する。
特定部１１１は、認証機器２０と過去に接続実績がある通信機器３０を特定する。この特定のために、特定部１１１は、ネットワーク通信部１４を介してネットワークＮＷと接続して、接続実績ＤＢ４０から、この認証機器２０の認証識別子に対応付けられた機器識別子を取得する。
【００３１】
通信制御部１１２は、通信に関する制御を行う。通信制御部１１２は、例えば、近距離無線通信部１３を介して外部機器（例えば認証機器２０）と無線接続する制御、及びネットワーク通信部１４を介してネットワークＮＷと接続する制御を行う。更に、通信制御部１１２は、認証機器２０との無線接続中において、無線ＬＡＮ通信部１５を介して、特定部１１１により特定された通信機器３０と無線接続する制御を行う。通信制御部１１２は、例えば、認証機器２０の接続先が車載端末１０に変更されたことを契機として、特定部１１１により特定された通信機器３０と無線接続する制御を行う。通信制御部１１２は、当該通信機器３０とネットワークＮＷとの通信を、ネットワーク通信部１４、及び無線ＬＡＮ通信部１５を介して中継する。
【００３２】
送信部１１３は、近距離無線通信部１３を介して、ＬＡＮ認証情報を特定部１１１により特定された通信機器３０へ送信する。通信制御部１１２は、特定部１１１により特定された通信機器３０が、ＬＡＮ認証情報を用いて認証された場合に、この通信機器３０と無線接続する制御を行う。
【００３３】
次に、本実施形態の動作を説明する。
＜Ａ：通信機器３０がネットワークＮＷに接続する場合の動作＞
図７は、通信機器３０がネットワークＮＷに接続する場合に、通信システム１で実行される処理を示すシーケンス図である。図８は、接続実績ＤＢ４０の構成を説明する図である。図９は、通信システム１の各装置の状態を説明する図である。以下の説明で参照する図面では、ネットワークＮＷとの接続を「ＮＷ接続」、無線ＬＡＮとの接続を「ＬＡＮ接続」と記載している場合がある。
【００３４】
まず、ユーザが、認証機器２０を使用して、通信機器３０ＢをネットワークＮＷに接続させようとしたとする。この場合、ユーザは、認証機器２０と、通信機器３０Ｂとを近接させる（例えば、接触させる）。これにより、認証機器２０の近距離無線通信部２２と、通信機器３０Ｂの近距離無線通信部３３とが無線接続して、ペアリングする（ステップＳ１）。
【００３５】
次に、認証機器２０の制御部２１は、近距離無線通信部２２を介して、認証識別子「Ｍ−２０」を、通信機器３０Ｂへ送信する（ステップＳ２）。通信機器３０Ｂの制御部３１は、近距離無線通信部１３を介して、認証識別子を取得すると、取得した認証識別子と、記憶部１６に記憶された機器識別子「ＮＵＭ−３０Ｂ」とを、ネットワーク通信部１４を介して、ネットワークＮＷへ送信する（ステップＳ３）。
【００３６】
ネットワークＮＷは、ステップＳ３で送信されたデータに基づいて、通信機器３０Ｂの接続を許可するどうかを認証する。この認証は、ＳＩＭカードやＵＩＭカードを用いて行われる認証と同様に行われてよい。この認証の後、ネットワークＮＷは、取得した認証識別子と、機器識別子とを、接続日時情報と対応付けて、接続実績ＤＢ４０へ登録する（ステップＳ４）。ステップＳ４の登録により、接続実績ＤＢ４０に登録される情報は、図８（Ａ）に示すとおりとなる。接続日時情報は、例えば、ネットワークＮＷへの接続が許可された日時を示す。
そして、通信機器３０Ｂは、図９（Ａ）に示すように、ネットワークＮＷと接続する（ステップＳ５）。通信機器３０Ｂは、ネットワークＮＷを介して、各種の通信サービスの提供を受ける。
【００３７】
次に、ユーザが、認証機器２０を使用して、通信機器３０ＡをネットワークＮＷに接続させようとしたとする。この場合、ユーザは、認証機器２０と、通信機器３０Ａとを近接させる。これにより、認証機器２０の近距離無線通信部２２と、通信機器３０Ａの近距離無線通信部３３とが無線接続して、ペアリングする（ステップＳ６）。
ステップＳ６のペアリングにより、認証機器２０と通信機器３０Ｂとのペアリングが解消される（即ち、無線接続が切断される）。このペアリングの解消により、通信機器３０ＢのネットワークＮＷへの接続も切断される。これにより、認証機器２０の接続先が、通信機器３０Ｂから通信機器３０Ａに変更される。
【００３８】
次に、認証機器２０の制御部２１は、近距離無線通信部２２を介して、認証識別子「Ｍ−２０」を、通信機器３０Ａへ送信する（ステップＳ７）。通信機器３０Ａの制御部３１は、近距離無線通信部１３を介して、認証識別子を取得すると、取得した認証識別子と、記憶部１６に記憶された機器識別子「ＮＵＭ−３０Ａ」とを、ネットワーク通信部１４を介して、ネットワークＮＷへ送信する（ステップＳ８）。
【００３９】
ネットワークＮＷは、通信機器３０Ａを認証した後、取得した認証識別子と、機器識別子とを、接続日時情報と対応付けて、接続実績ＤＢ４０へ登録する（ステップＳ９）。ステップＳ９の登録により、接続実績ＤＢ４０に登録される情報は、図８（Ｂ）に示すとおりとなる。
そして、通信機器３０Ａは、図９（Ｂ）に示すように、ネットワークＮＷと接続する（ステップＳ１０）。通信機器３０Ａは、ネットワークＮＷを介して、各種の通信サービスの提供を受ける。
以上説明した処理は、通信機器３０Ａ，３０Ｂを使用するユーザが自動車Ｃに乗車中であるか否かによらないで実行され得る。
【００４０】
続いて、車載端末１０が認証機器２０と無線接続した場合の動作を説明する。例えば、ユーザが認証機器２０を携帯して自動車Ｃに乗車しているときに、以下で説明する処理が実行される。
【００４１】
＜Ｂ：車載端末１０がネットワークＮＷに接続する場合の動作＞
図１０及び図１１は、車載端末１０がネットワークＮＷに接続する場合に、通信システム１で実行される処理を示すシーケンス図である。図１２は、通信システム１の各装置の状態を説明する図である。
ユーザが、認証機器２０を使用して、車載端末１０をネットワークＮＷに接続させようとした場合、認証機器２０と車載端末１０とを近接させる。これにより、認証機器２０の近距離無線通信部２２と、車載端末１０の近距離無線通信部１３とが無線接続して、ペアリングする（ステップＳ１１）。ステップＳ１１のペアリングにより、図１２（Ａ）に示すように、認証機器２０の接続先が、通信機器３０Ａから車載端末１０に変更される。
【００４２】
次に、認証機器２０の制御部２１は、近距離無線通信部２２を介して、認証識別子「Ｍ−２０」を、車載端末１０へ送信する（ステップＳ１２）。車載端末１０の制御部１１は、近距離無線通信部１３を介して認証識別子を取得すると、認証機器２０と過去に接続実績がある通信機器３０を、ネットワーク通信部１４を介して、ネットワークＮＷに問い合わせる（ステップＳ１３）。この時点で、車載端末１０は、図１２（Ｂ）に示すように、ネットワークＮＷと接続される。ステップＳ１３の問い合わせのデータには、少なくとも、認証機器２０の認証識別子が含まれる。
【００４３】
ネットワークＮＷは、車載端末１０からの問い合わせに応答して、認証機器２０の認証識別子に対応付けられた機器識別子を、車載端末１０に送信（応答）する（ステップＳ１４）。ネットワークＮＷは、ここでは、機器識別子「ＮＵＭ−３０Ａ」及び「ＮＵＭ−３０Ｂ」を送信する。ステップＳ１４において、ネットワークＮＷは、更に接続日時情報を送信する。
【００４４】
車載端末１０の制御部１１は、ネットワーク通信部１４を介して、ネットワークＮＷから機器識別子を取得すると、取得した機器識別子に基づいて、認証機器２０と過去に接続実績がある通信機器３０を特定する（ステップＳ１５）。ここでは、接続実績ＤＢ４０に登録された情報は図８（Ｂ）に示すとおりであるから、制御部１１は、機器識別子が「ＮＵＭ−３０Ａ」である通信機器３０Ａと、機器識別子が「ＮＵＭ−３０Ｂ」である通信機器３０Ｂとをそれぞれ特定する。
【００４５】
次に、制御部１１は、テザリング機能を起動する（ステップＳ１６）。テザリング機能の起動により、車載端末１０は、外部機器と、ネットワークＮＷとの通信を中継することが可能になる。テザリング機能の実行中においても、車載端末１０は、ネットワークＮＷを介して提供される通信サービスの少なくとも一部を利用することが可能である。
【００４６】
次に、制御部１１は、近距離無線通信部１３を介して、通信機器３０の探索処理を開始する（ステップＳ１７）。探索処理は、近距離無線通信部１３と無線接続可能な距離（第２の距離）以内、即ち通信可能エリア内に存在する通信機器３０を探索する処理である。ここでは、図１２（Ｃ）に示すように、近距離無線通信部１３の通信可能エリア内に、通信機器３０Ａが存在し、通信機器３０Ｂが存在しないものとする。例えば、通信機器３０Ａが自動車Ｃに乗車中のユーザに使用され、通信機器３０Ｂが自動車Ｃに乗車中のユーザに使用されていない場合に、図１２（Ｃ）に示す状態となる。
【００４７】
ここで、制御部１１が、通信機器３０Ａの探索に成功したとする（ステップＳ１８）。この場合、制御部１１は、探索した通信機器３０Ａに、認証機器２０との接続実績があるがあるかどうかを判定する（ステップＳ１９）。ここでは、制御部１１は「ＹＥＳ」と判定する。
ステップＳ１９で「ＹＥＳ」と判定したことを契機として、制御部１１は、近距離無線通信部１３を介して、ＬＡＮ認証情報を含む、無線ＬＡＮを利用するための機能の起動指示を、通信機器３０Ａへ送信する（ステップＳ２０）。通信機器３０Ａの制御部３１は、近距離無線通信部３３を介して起動指示を取得すると、無線ＬＡＮを利用するための機能を起動し、更に、ＬＡＮ認証情報を用いて、無線ＬＡＮ通信部３５を介して車載端末１０に無線接続を要求する。車載端末１０の制御部１１は、当該要求に含まれるＬＡＮ認証情報を用いて、通信機器３０Ａを認証した場合に、無線ＬＡＮ通信部１５を介して通信機器３０Ａと無線接続する（ステップＳ２１）。
【００４８】
この無線接続が開始すると、車載端末１０の制御部１１は、ネットワーク通信部１４、及び無線ＬＡＮ通信部１５を介して、通信機器３０ＡとネットワークＮＷと通信を中継する（ステップＳ２２）。この中継により、通信機器３０Ａは、車載端末１０を介してネットワークＮＷと通信することが可能となる。
【００４９】
制御部１１は、探索した通信機器３０毎に、探索処理を行って、通信の要否を判定する。制御部１１は、通信可能エリア内に存在する通信機器３０を探索した場合でも、この通信機器３０に、認証機器２０への接続実績がないと判定した場合は（ステップＳ１９；ＮＯ）、起動指示を送信しない。
また、制御部１１は、通信可能エリア外に存在する通信機器３０Ｂについては、探索に失敗する。この場合、制御部１１は、通信機器３０Ｂに対して起動指示を送信しない。
この結果、通信システム１における各装置の接続の状態は、図１３に示すとおりになる。
【００５０】
本実施形態によれば、認証機器２０の接続先が、通信機器３０Ａから車載端末１０に変更された場合でも、通信機器３０Ａは、車載端末１０を介してネットワークＮＷと通信することができる。よって、通信機器３０Ａは、ネットワークＮＷを介して提供される通信サービスを、引き続き利用することができる。また、通信機器３０Ａは、車載端末１０からの起動指示に応じて、無線ＬＡＮを介して車載端末１０に無線接続する制御を行う。この無線接続が、通信機器３０Ａのユーザの操作なしで実現されることにより、ユーザの操作の負担が増大することもない。
【００５１】
また、車載端末１０は、探索処理を行うことにより、テザリング機能によりネットワークＮＷに接続させる通信機器を特定する。近距離無線通信の通信可能エリアと、自動車Ｃ内での利用を考慮すれば、車載端末１０は、認証機器２０のユーザが存在を把握できる通信機器３０を対象として、ネットワークＮＷに接続させやすい。よって、認証機器２０のユーザが意図しない通信機器３０まで、ネットワークＮＷに接続される可能性は低い。
【００５２】
［第２実施形態］
上述した第１実施形態では、車載端末１０は、認証機器２０と過去に接続実績がある全て通信機器３０を、テザリング機能によりネットワークＮＷに接続させていた。これに対し、本実施形態の車載端末１０は、認証機器２０と過去に接続実績がある通信機器３０のうち、所定の接続先条件を満たす通信機器３０だけを、ネットワークＮＷに接続させる。この接続先条件は、記憶部１６に記憶された条件管理テーブル１６１によって管理される。
なお、本実施形態の通信システム１に含まれる各装置のハードウェア構成、及び機能構成は、大略、上述した第１実施形態と同じである。ただし、特定部１１１は、条件管理テーブル１６１に基づいて、ネットワークＮＷに接続させる通信機器３０を特定する。本実施形態において、上述した第１実施形態と同じ符号を付した要素は、上述した第１実施形態と同等に機能する。
【００５３】
図１４は、条件管理テーブル１６１の構成例を示す図である。条件管理テーブル１６１は、例えば、ＵＩ部１２を介した情報の入力によって登録されてもよいし、製造段階等に予め登録されていてもよい。
＜Ａ：時刻に関する接続先条件＞
図１４（Ａ）は、時刻に関する接続先条件が設定された場合の、条件管理テーブル１６１の構成例を示す。この場合、条件管理テーブル１６１では、時間帯と、接続先条件とが対応付けて登録されている。接続先条件は、テザリング機能によりネットワークＮＷに接続される対象となる通信機器３０の条件である。ここでは、認証機器２０と過去に接続実績がある、予め決められた通信機器３０のみを接続させる「既定」と、認証機器２０と過去に接続実績がある全ての通信機器３０を接続させる「全て」と、認証機器２０と直近に接続した通信機器３０のみを接続させる「直近」とがある。
【００５４】
条件管理テーブル１６１では、時間帯「８：００〜１６：５９」に対応付けて、接続先条件が「既定」と設定されている。ここでは、ユーザが勤務中等の時間帯に、ユーザの把握していない通信機器３０が接続の対象とならないようにしている。条件管理テーブル１６１では、時間帯「１７：００〜２１：５９」に対応付けて、接続先条件が「全て」と設定されている。ここでは、ユーザが自動車Ｃに乗車する可能性のある時間帯に、ユーザの利便性を考慮して、全ての通信機器３０を接続の対象としている。条件管理テーブル１６１では、時間帯「２２：００〜７：５９」に対応付けて、標準（デフォルト）の接続先条件である「直近」と設定されているものとする。
【００５５】
＜Ｂ：位置に関する接続先条件＞
図１４（Ｂ）は、位置に関する接続先条件が設定された場合の、条件管理テーブル１６１の構成例を示す。この場合、条件管理テーブル１６１では、車載端末１０の現在位置と、接続先条件とが対応付けて登録されている。車載端末１０の現在位置は、測位部１７により測定された位置によって特定される。図１４（Ｂ）では、「現在位置」のフィールドには、場所の名称が記載されている。
【００５６】
条件管理テーブル１６１では、現在位置「自宅付近」に対応付けて、接続先条件が「全て」と設定されている。ユーザが、自動車Ｃの状況を把握しやすい場合には、ユーザの利便性を考慮して、全ての通信機器３０を接続の対象としている。条件管理テーブル１６１では、現在位置「会社付近」に対応付けて、接続先条件が「既定」と設定されている。ここでは、ユーザが勤務中等の場合に、ユーザの把握していない通信機器３０が接続の対象とならないようにしている。条件管理テーブル１６１では、現在位置「その他」に対応付けて、標準の接続先条件である「直近」と設定されているものとする。
【００５７】
＜Ｃ：接続回数に関する接続先条件＞
図１４（Ｃ）は、車載端末１０と認証機器２０との接続回数に関する接続先条件が設定された場合の、条件管理テーブル１６１の構成例を示す。この場合、条件管理テーブル１６１では、接続回数と、接続先条件とが対応付けて登録されている。接続回数「１回」、即ち初回の接続の場合、接続先条件が「直近」と設定されている。初回の接続の場合、車載端末１０と認証機器２０とが同じ加入者によって所有されているかどうかが不明である。よって、通信のセキュリティ上の観点から、接続の対象の通信機器３０の台数を、或る程度絞り込んでいる。この趣旨に照らせば、「直近」に代えて、「既定」とされてもよい。接続回数「２回以上」、即ち２回目以降の接続の場合、接続先条件が「全て」と設定されている。この設定の理由は、２回目以降の接続の場合、車載端末１０と自動車Ｃとが同じ加入者によって所有されていると推定される。よって、ユーザの利便性を考慮して、全ての通信機器３０を接続の対象としている。
【００５８】
本実施形態の通信システム１の動作を説明する。図１５は、車載端末１０がネットワークＮＷに接続する場合に、通信システム１で実行される処理を示すシーケンス図である。以下、上述した第１実施形態との相違点を中心に説明する。
車載端末１０の制御部１１は、ステップＳ１５で認証機器２０と過去に接続実績がある通信機器３０を特定した後、更に、条件管理テーブル１６１に設定された接続先条件を満たす通信機器３０を特定する（ステップＳ２３）。そして、制御部１１は、ステップＳ２３で特定した通信機器３０を対象として、ステップＳ１６以降の処理を実行する。
これにより、車載端末１０は、認証機器２０と直近に無線接続した一の通信機器３０、認証機器２０と過去に無線接続した全ての通信機器３０、又は予め決められた通信機器３０を対象として、テザリング機能によりネットワークＮＷへ接続させることができる。
【００５９】
以上説明した条件管理テーブル１６１の構成は、あくまで一例である。また、車載端末１０は、＜Ａ：時刻に関する接続先条件＞、＜Ｂ：位置に関する接続先条件＞、及び＜Ｃ：接続回数に関する接続先条件＞で説明した接続先条件を、２つ以上組み合わせてもよい。
本実施形態の車載端末１０によれば、そのときどきの状況に応じて、テザリング機能によりネットワークＮＷへ接続させる通信機器３０の条件を設定することができる。
【００６０】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
接続実績ＤＢ４０は、ネットワークＮＷに接続されていなくてもよい。接続実績ＤＢ４０は、例えば、認証機器２０に備えられてもよい。この場合、認証機器２０と通信機器３０とがペアリングすると、通信機器３０の制御部３１は、近距離無線通信部３３を介して、機器識別子を認証機器２０へ送信する。認証機器２０の制御部２１は、近距離無線通信部２２を介して取得した機器識別子と、自機の認証識別子とを対応付けて、接続日時情報とともに、接続実績ＤＢ４０に登録する。
【００６１】
車載端末１０の制御部１１は、ステップＳ１５で、認証機器２０と過去に接続実績がある通信機器を特定する場合には、近距離無線通信部１３を介して認証機器２０と無線接続することにより、接続実績ＤＢ４０の情報を取得する。その他の構成及び動作は、上述した各実施形態と同じでよい。
【００６２】
この変形例において、機器識別子は、通信機器３０と認証機器２０と無線接続したことをもって登録されてもよいし、通信機器３０がネットワークＮＷに接続したことをもって登録されてもよい。いずれの場合も、通信機器３０と認証機器２０との無線接続したことが登録の条件となっている。また、接続日時情報は、通信機器３０と認証機器２０とが無線接続した日時を示してもよいし、通信機器３０がネットワークＮＷに接続した日時を示してもよい。
【００６３】
（変形例２）
ステップＳ１７〜Ｓ１８で説明した探索処理を、車載端末１０ではなく、認証機器２０が行ってもよい。この場合、制御部１１は、ステップＳ１６でテザリング機能を起動した後、近距離無線通信部１３を介して、認証機器２０に探索処理の実行命令を送信する。認証機器２０の制御部２１は、この実行命令に応じて、近距離無線通信部２２を介して、認証機器２０と無線接続可能な距離（第２の距離）以内、即ち通信可能エリア内に存在する通信機器３０を探索する。制御部２１は、通信機器３０を探索した場合は、探索した通信機器３０の機器識別子を含む成功通知を、近距離無線通信部２２を介して、車載端末１０へ送信する。車載端末１０の制御部１１は、近距離無線通信部１３を介して取得した成功通知に含まれる機器識別子に基づいて、ステップＳ１９以降の処理を実行する。
車載端末１０がネットワークＮＷに接続している場合、認証機器２０と車載端末１０とが近距離無線通信が可能な距離に近接している。このため、認証機器２０と車載端末１０とのどちらの機器が探索処理を行ったとしても、テザリング機能によりネットワークＮＷへ接続させる通信機器３０は、近い結果になると考えられる。
また、探索処理を省略して、車載端末１０は、無線ＬＡＮ通信部１５と無線接続可能な距離（第２の距離）以内に存在する通信機器３０と無線接続して、テザリング機能を実現してもよい。
【００６４】
（変形例３）
上述した各実施形態では、車載端末１０は、認証機器２０の近距離無線通信による無線接続の接続先が自通信端末装置に変更されたことを契機として、通信機器３０と無線ＬＡＮにより無線接続していた。この無線ＬＡＮによる無線接続が開始されるタイミングは、車載端末１０と認証機器２０との無線接続中の別のタイミングであってもよい。例えば、ユーザのＵＩ部１２の操作によって指示されたことを契機として、車載端末１０は、通信機器３０と無線ＬＡＮにより無線接続してもよい。
【００６５】
（変形例４）
車載端末１０は、通信機器３０毎の接続日時情報に基づいて、テザリング機能によりネットワークＮＷへの接続の可否を制御してもよい。車載端末１０は、例えば、接続日時情報が示す接続日時が、現在日時から決められた期間以上前である通信機器３０については、ネットワークＮＷへの接続を不可とする。これにより、車載端末１０は、ユーザがあまり使用していない通信機器３０まで、ネットワークＮＷに接続されるのを防止することができる。
【００６６】
（変形例５）
本発明の通信端末装置は、車載端末に限られない。本発明の通信端末装置は、例えば、モバイルルータによって実現されてもよい。この場合、認証機器２０と通信機器３０を携帯してユーザが自宅に帰宅した後、自宅に設置されたモバイルルータに、認証機器２０の認証が変更される。この変更後、モバイルルータは、ネットワークＮＷに接続する一方で、通信機器３０、及び自宅に設置されたその他の通信機器（例えば家電）と無線ＬＡＮを介して接続して、これらの各機器をネットワークＮＷに接続させる。また、本発明の通信端末装置は、通信機器３０と同様の装置によって実現されてもよい。
【００６７】
（変形例６）
上述した各実施形態で説明した構成及び動作の一部が省略されてもよい。
車載端末１０は、認証機器２０と過去に接続実績がある通信機器３０に対して、ＬＡＮ認証情報を送信する構成を備えなくてもよい。
また、車載端末１０は、近距離無線通信部１３、及びネットワーク通信部１４を介して、通信機器３０とネットワークＮＷとの間の通信を中継してもよい。この場合、通信システム１の各装置は、無線ＬＡＮを介して通信するための構成を備えていなくてもよい。具体的には、制御部１１は、近距離無線通信部１３を介した認証機器２０との無線接続中において、認証機器２０と過去に接続実績がある通信機器３０が所定の距離以内に存在するときは、認証機器２０に加えて、当該通信機器３０と無線接続する制御を行う。
また、上述した各実施形態で説明した処理の順番は、適宜変更されてもよい。
また、上述した各実施形態で説明した無線通信の規格は、あくまで一例である。
【００６８】
（変形例７）
上述した各実施形態の車載端末１０の制御部１１が実現する機能は、複数のプログラムの組み合わせによって実現され、又は、複数のハードウェア資源の連係によって実現され得る。制御部１１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読み取り可能な記録媒体に記憶した状態で提供されてもよいし、ネットワークを介して配信されてもよい。また、本発明は、通信制御方法として把握することも可能である。
【符号の説明】
【００６９】
１…通信システム、１０…車載端末、１１，２１，３１…制御部、１１１…特定部、１１２…通信制御部、１１３…送信部、１２，３２…ＵＩ部、１３，２２，３３…近距離無線通信部、１４，３４…ネットワーク通信部、１５，３５…無線ＬＡＮ通信部、１６，２３，３６…記憶部、１７…測位部、１６１…条件管理テーブル、２０…認証機器、３０，３０Ａ，３０Ｂ…通信機器、４０…接続実績ＤＢ
【図１】
0006486714.tif 000002
【図２】
0006486714.tif 000003
【図３】
0006486714.tif 000004
【図４】
0006486714.tif 000005
【図５】
0006486714.tif 000006
【図６】
0006486714.tif 000007
【図７】
0006486714.tif 000008
【図８】
0006486714.tif 000009
【図９】
0006486714.tif 000010
【図１０】
0006486714.tif 000011
【図１１】
0006486714.tif 000012
【図１２】
0006486714.tif 000013
【図１３】
0006486714.tif 000014
【図１４】
0006486714.tif 000015
【図１５】
0006486714.tif 000016